(57)【要約】【課題】ハンガーディスプレイを店内の棚の上面に自立させて使用する際のコストを低減するとともに、そのハンガーディスプレイの交換作業性を向上させる。【解決手段】板状のハンガーディスプレイ２の背面を支持する背面支持部３と、ハンガーディスプレイ２の下端を保持する下端保持部４とを有し、背面支持部３に、ハンガーディスプレイ２の吊り下げ紐６に取り付けられたフック７に引っ掛ける伸縮部材１２を取り付けたハンガーディスプレイ用スタンド１を提供する。【選択図】図２
2008245720.tif 000002
【特許請求の範囲】
【請求項１】
板状のハンガーディスプレイ（２）の背面を支持する背面支持部（３）と、ハンガーディスプレイ（２）の下端を保持する下端保持部（４）とを有し、前記背面支持部（３）に、ハンガーディスプレイ（２）の吊り下げ紐（６）に取り付けられたフック（７）に引っ掛ける伸縮部材（１２）を取り付けたハンガーディスプレイ用スタンド（１）。
【請求項２】
板状のハンガーディスプレイ（２）の背面を支持する背面支持部（３）と、ハンガーディスプレイ（２）の下端を保持する下端保持部（４）とを有し、前記背面支持部（３）に取り付けた伸縮部材（１２）に、ハンガーディスプレイ（２）の吊り下げ紐（６）に引っ掛けるフック（３２）を取り付けたハンガーディスプレイ用スタンド（３１）。
【発明の詳細な説明】
【技術分野】
【０００１】
この発明は、ハンガーディスプレイを自立した状態で展示可能なハンガーディスプレイ用スタンドに関する。
【背景技術】
【０００２】
薬局やスーパーなどの小売店においては、商品を陳列具に取り付けた状態で展示することが多い。このような陳列具として、店内に吊り下げて展示する陳列具（ハンガーディスプレイ）や、店内の棚の上面に自立した状態で展示する陳列具（カウンターディスプレイ）が多く用いられる。
【０００３】
ハンガーディスプレイは、一般に、商品を取り付けるディスプレイ台紙と、そのディスプレイ台紙の上部に設けた吊り下げ紐とからなり、その吊り下げ紐を、壁面に設けたフックに引っ掛けて展示する。一方、カウンターディスプレイは、一般に、棚の上面に自立可能な枠体からなり、その枠体上に商品を陳列して用いる。
【０００４】
ところで、店内の棚の上面に自立させて使用可能としたハンガーディスプレイとして、板状のハンガーディスプレイの背面に組立式のスタンドを一体に設けたものが提案されている（特許文献１）。このハンガーディスプレイは、背面のスタンドを組み立てて、店内の棚の上面に自立させることにより、カウンターディスプレイとして使用することができる。そのため、店内の棚や壁面のレイアウトに応じて、ハンガーディスプレイとして使用するか、カウンターディスプレイとして使用するかを選択することができ、店内のレイアウトの自由度が大きくなる。
【特許文献１】実開昭５７−１２０３６８号公報
【発明の開示】
【発明が解決しようとする課題】
【０００５】
しかし、このハンガーディスプレイは、組立式のスタンドを一体に設けているので、店内の棚の上面に自立させた旧商品用のハンガーディスプレイを、新商品用のハンガーディスプレイに交換する場合、あらためてスタンドを組み立てる必要があり、作業が煩雑である。また、旧商品用のハンガーディスプレイのスタンドとは別個に、新商品用のハンガーディスプレイのスタンドを製造する必要があり、コスト高である。
【０００６】
この発明が解決しようとする課題は、ハンガーディスプレイを店内の棚の上面に自立させて使用する際のコストを低減するとともに、そのハンガーディスプレイの交換作業性を向上させることである。
【課題を解決するための手段】
【０００７】
上記の課題を解決するため、板状のハンガーディスプレイの背面を支持する背面支持部と、ハンガーディスプレイの下端を保持する下端保持部とを有し、前記背面支持部に、ハンガーディスプレイの吊り下げ紐に取り付けられたフックに引っ掛ける伸縮部材を取り付けたハンガーディスプレイ用スタンドを提供する。
【０００８】
また、上記の課題は、板状のハンガーディスプレイの背面を支持する背面支持部と、ハンガーディスプレイの下端を保持する下端保持部とを有し、前記背面支持部に取り付けた伸縮部材に、ハンガーディスプレイの吊り下げ紐に引っ掛けるフックを取り付けたハンガーディスプレイ用スタンドによっても解決することができる。
【発明の効果】
【０００９】
ハンガーディスプレイの吊り下げ紐に取り付けられたフックに引っ掛ける伸縮部材を、背面支持部に取り付けたこの発明のハンガーディスプレイ用スタンドは、吊り下げ紐のフックに引っ掛ける部材が伸縮するので、吊り下げ紐の位置や長さが互いに異なるハンガーディスプレイに対応可能である。そのため、店内の棚の上面に自立させた旧商品用のハンガーディスプレイを、新商品用のハンガーディスプレイに交換する場合、ハンガーディスプレイ用スタンドをそのまま流用することができ、ハンガーディスプレイの交換作業が簡単である。また、新商品用のハンガーディスプレイ用スタンドを、旧商品用のハンガーディスプレイ用スタンドとは別個に製作する必要がなく、低コストである。
【００１０】
また、ハンガーディスプレイの吊り下げ紐に引っ掛けるフックを取り付けた伸縮部材を、背面支持部に取り付けたこの発明のハンガーディスプレイ用スタンドも、吊り下げ紐に引っ掛けるフックを有する部材が伸縮するので、吊り下げ紐の位置や長さが互いに異なるハンガーディスプレイに対応可能である。そのため、店内の棚の上面に自立させた旧商品用のハンガーディスプレイを、新商品用のハンガーディスプレイに交換する場合、ハンガーディスプレイ用スタンドをそのまま流用することができ、ハンガーディスプレイの交換作業が簡単である。また、新商品用のハンガーディスプレイ用スタンドを、旧商品用のハンガーディスプレイ用スタンドとは別個に製作する必要がなく、低コストである。
【発明を実施するための最良の形態】
【００１１】
図１に、この発明の第１実施形態のハンガーディスプレイ用スタンド１を示す。このハンガーディスプレイ用スタンド１は、ハンガーディスプレイ２の背面を支持する背面支持部３と、ハンガーディスプレイ２の下端を保持する下端保持部４とを有する。
【００１２】
ハンガーディスプレイ２は、図２に示すように、板状のディスプレイ台紙５と、吊り下げ紐６と、フック７とからなる。ディスプレイ台紙５は、自立可能な程度の剛性を有する方形の板紙からなり、ディスプレイ台紙５に商品（図示せず）が取り付けられる。吊り下げ紐６の両端は、ディスプレイ台紙５の左右の上隅の貫通孔１９に固定されており、吊り下げ紐６の中央にフック７が取り付けられている。このハンガーディスプレイ２は、吊り下げ紐６のフック７を壁面に引っ掛けることにより、壁面に吊り下げ可能となっている。
【００１３】
背面支持部３は、図１に示すように、左右一対の側面板８，９と、側面板８，９の上部前縁同士を連結する前面板１０と、側面板８，９の後縁同士を連結する後面板１１とからなる。前面板１０は、上端が下端よりも後側に位置する方向に傾斜しており、ハンガーディスプレイ２の背面を前面板１０で支持したときに、ハンガーディスプレイ２の前面を斜め上方に向けて、ハンガーディスプレイ２を効果的に展示するようになっている。
【００１４】
後面板１１の上部は、図２に示すように、伸縮可能なゴム紐１２が左右に掛け渡されている。ゴム紐１２の両端は、後面板１１の左右の側縁に固定されており、ゴム紐１２にフック７を引っ掛け可能となっている。
【００１５】
下端保持部４は、図１に示すように、左右一対の前端板１３，１４と、左右一対の係止片１５，１６とからなる。左右の前端板１３，１４は、それぞれ、左右の側面板８，９の下部前縁に連設されている。また、左右の前端板１３，１４は、一端が互いに連結されており、その連結によって、前面板１０よりも前方に突出した姿勢に固定されている。
【００１６】
係止片１５，１６は、左右の前端板１３，１４の間に設けられている。また、係止片１５，１６は、前端板１３，１４の上縁よりも上方に突出しており、前端板１３，１４の上縁でハンガーディスプレイ２の下端を支持した状態で、係止片１５，１６が、ハンガーディスプレイ２の下端が前方に移動するのを阻止するようになっている。
【００１７】
図３に、ディスプレイ台紙５のブランクを示す。このブランクは、厚手のチップボールの表面に化粧紙を貼り合わせて形成したコートボールで形成されており、方形状の基板１７と、基板１７の左右の側縁に連設された補強板１８，１８とからなる。基板１７の左右の上隅には、吊り下げ紐６の両端を固定するための貫通孔１９，１９が形成されている。また、基板１７と各補強板１８の間には、半切線２０が形成されている。このブランクの組立ては、左右の補強板１８，１８を半切線２０に沿って折り返し、その補強板１８を基板１７の背面に接着して行なう。
【００１８】
図４に、ハンガーディスプレイ用スタンド１のブランクを示す。このブランクは、段ボールで形成されており、方形状の後面板１１と、後面板１１の左右の側縁に連設された側面板８，９とを有する。さらに、一方の側面板８の上部には、前面板１０、差込片２１が順に連設され、側面板８の下部には、前端板１３、係止片１５が順に連設されている。また、他方の側面板９の上部には、継ぎ代２２が連設され、側面板９の下部には、前端板１４、係止片１６が順に連設されている。
【００１９】
係止片１５には、係止片１５と前端板１３の間の折目線に沿って曲げ起こし可能な差込片２３が形成されており、その差込片２３に対応するスリット２４が、係止片１６と前端板１４の間に形成されている。また、側面板９と継ぎ代２２の間には、差込片２１に対応するスリット２５が形成されている。後面板１１の上部の左右の側縁には、ゴム紐１２の両端を固定するための貫通孔２６，２６が形成されている。
【００２０】
このブランクの組立ては、次のようにして行なう。まず、前面板１０、側面板８、後面板１１、側面板９を筒状に折り曲げ、その状態で、差込片２１をスリット２５に差し込む。次に、係止片１５，１６を後方に折り曲げ、その状態で、差込片２３をスリット２４に差し込んで前端板１３，１４を互いに連結する。
【００２１】
このようにして組み立てたハンガーディスプレイ用スタンド１は、図１、図２に示すように、背面支持部３でハンガーディスプレイ２の背面を支持するとともに、下端保持部４でハンガーディスプレイ２の下端を保持し、その状態で、吊り下げ紐６のフック７をゴム紐１２に引っ掛けることにより、ハンガーディスプレイ２を自立した状態に保持することができる。
【００２２】
このハンガーディスプレイ用スタンド１を用いると、店内の棚や壁面のレイアウトに応じて、ハンガーディスプレイ２を、そのままハンガーディスプレイとして使用するか、カウンターディスプレイとして使用するかを選択することができ、店内のレイアウトの自由度が大きくなる。
【００２３】
また、このハンガーディスプレイ用スタンド１は、吊り下げ紐６のフック７に引っ掛けるゴム紐１２が伸縮可能なので、吊り下げ紐６の位置や長さが互いに異なるハンガーディスプレイ２に対応可能である。そのため、店内の棚の上面に自立させた旧商品用のハンガーディスプレイ２を、新商品用のハンガーディスプレイ２に交換する場合、ハンガーディスプレイ用スタンド１をそのまま流用することができ、ハンガーディスプレイ２の交換作業が簡単である。また、新商品用のハンガーディスプレイ用スタンド１を、旧商品用のハンガーディスプレイ用スタンド１とは別個に製作する必要がなく、低コストである。
【００２４】
図５に、第２実施形態のハンガーディスプレイ用スタンド３１を示す。このハンガーディスプレイ用スタンド３１は、ゴム紐１２にフック３２が取り付けられており、そのフック３２を、ハンガーディスプレイ２の吊り下げ紐６に引っ掛け可能となっている。第１実施形態に対応するその他の部材は、第１実施形態と同一の符号を付し、その説明を省略する。
【００２５】
このハンガーディスプレイ用スタンド３１は、吊り下げ紐６に引っ掛けるフック３２を取り付けたゴム紐１２が伸縮可能なので、吊り下げ紐６の位置や長さが互いに異なるハンガーディスプレイ２に対応可能である。そのため、第１実施形態と同様に、店内の棚の上面に自立させた旧商品用のハンガーディスプレイ２を、新商品用のハンガーディスプレイ２に交換する場合、ハンガーディスプレイ用スタンド３１をそのまま流用することができ、ハンガーディスプレイ２の交換作業が簡単である。また、新商品用のハンガーディスプレイ用スタンド３１を、旧商品用のハンガーディスプレイ用スタンド３１とは別個に製作する必要がなく、低コストである。
【００２６】
上記各実施形態では、後面板１１の左右の側縁にゴム紐１２の両端を固定したが、ゴム紐１２の両端は、背面支持部３の他の位置に固定してもよく、たとえば、左右の側面板８，９や、前面板１０の左右の側縁に固定してもよい。
【図面の簡単な説明】
【００２７】
【図１】第１実施形態のハンガーディスプレイ用スタンドを示す斜視図
【図２】図１のハンガーディスプレイ用スタンドでハンガーディスプレイを自立状態に保持した状態を示す斜視図
【図３】図２に示すハンガーディスプレイのブランクを示す平面図
【図４】図１に示すハンガーディスプレイ用スタンドのブランクを示す平面図
【図５】第２実施形態のハンガーディスプレイ用スタンドでハンガーディスプレイを自立状態に保持した状態を示す斜視図
【符号の説明】
【００２８】
１      ハンガーディスプレイ用スタンド
２      ハンガーディスプレイ
３      背面支持部
４      下端保持部
６      吊り下げ紐
７      フック
１２    ゴム紐
３１    ハンガーディスプレイ用スタンド
３２    フック
【図１】
2008245720.tif 000003
【図２】
2008245720.tif 000004
【図３】
2008245720.tif 000005
【図４】
2008245720.tif 000006
【図５】
2008245720.tif 000007